(57)【要約】【課題】  本発明は、ヒンジ部にて連結された二つ割りの合成樹脂製の保温材の上記の欠点を改良するためになされたものであり、継手を内包して合わせられる合わせ面に工夫をこらして外気がこの部位より入り込まないようにした。【解決手段】  複数割りされ、ヒンジ部をもって連結された合成樹脂発泡体による保温材であって、被保温体を内包しつつ保温材を合わせ、その合わせ面に合わせ方向に嵌合段差部を形成したことを特徴とする保温材の構造。１、２‥保温材、３‥ヒンジ部、４、５‥合わせ面、６ａ、７ａ‥段差部。【選択図】  図３
2005054986.tif 000002
【特許請求の範囲】
【請求項１】
複数割りされ、ヒンジ部をもって連結された合成樹脂発泡体による保温材であって、被保温体を内包しつつ保温材を合わせ、その合わせ面に合わせ方向に嵌合段差部を形成したことを特徴とする保温材の構造。
【請求項２】
合わせ方向にほぼ直角に嵌合段差部を形成した請求項１記載の保温材の構造。
【請求項３】
保温材が、発泡ポリエチレン、発泡ポリプロピレン、発泡ポリスチレン、発泡ポリエステル、発泡ＰＥＴ、発泡ポリウレタン、発泡ゴムから選択される請求項１記載の保温材の構造。
【請求項４】
合わせ面に、粘着剤或いは接着剤を介して保温材を合わせた請求項１記載の保温材の構造。
【発明の詳細な説明】
【技術分野】
【０００１】
本発明は、例えば給水・給湯管自体、或いはこれらの管の継手等の保温に用いられる保温材の新たな構造を提供するものである。
【背景技術】
【０００２】
以下、給水・給湯管の継手における保温材を中心に説明すると、継手部分を外気温によっての影響をなくすため、継手をカバ−する例えばポリプロピレンやポリエチレンの発泡樹脂製の保温材が広く用いられていた。
【０００３】
かかる発泡体による保温材は、通常は保温材を複数割り（通常は二つ割り）形状にした構造の金型を用意し、この中に発泡性樹脂を充填して加熱発泡させて得るものである。そして、複数割り形状の保温材は一方側部がヒンジ連結されて発泡成形されるものであり、継手を保温材にて包みつつ他方側のフラットな面を合わせて保温材を構成していた。
【０００４】
図１はその代表例を示し、１１、１２は内側が保温すべき継手の外観形状を有する二つ割りの保温材であり、この保温材１１、１２は一方がヒンジ部１３によって連結されており、継手を内包しつつ保温材１１、１２が合わせられ、他方側のフラットな面１４、１５を合わせることによって保温材が完成する構造となっている。
【０００５】
このような構造の保温材を継手に適用した場合、ポリプロピレンやポリエチレン等の発泡樹脂製の保温材は、弾発力があり、ヒンジ部を中心に開こうとする戻り力が働く。これは二つ割りした保温材を開いた状態で発泡成形したことによるが、このため、使用に供せられた際には図２に示すように合わせられたフラット面１４、１５に隙間ができてしまう傾向があり、この部分から冷気等が入り込み、保温材本来の性能が発揮できない場合が多い。このため、図示はしないが更にバンド等を用いてたが絞め等が行われている。
【発明の開示】
【発明が解決しようとする課題】
【０００６】
本発明は、ヒンジ部にて連結された二つ割りの合成樹脂製の保温材の上記の欠点を改良するためになされたものであり、継手を内包して合わせられる合わせ面に工夫をこらして外気がこの部位より入り込まないようにしたものである。
【課題を解決するための手段】
【０００７】
本発明の要旨は、複数割りされ、ヒンジ部をもって連結された合成樹脂発泡体による保温材であって、被保温体を内包しつつ保温材を合わせ、その合わせ面に合わせ方向に嵌合段差部を形成したことを特徴とする保温材の構造であって、好ましくは、合わせ方向にほぼ直角に嵌合段差部を形成したものである。又、合わせ面に粘着剤或いは接着剤を介して保温材を合わせるのが更に好ましいものとなる。
【発明の効果】
【０００８】
本発明の保温材の構造を採用することにより、被保温体は外界とは隔離されて保温されることになり、その保温機能は低下することなく有効に機能するものであって、その工業的価値は高い。
【発明を実施するための最良の形態】
【０００９】
本発明の保温材の構造は以上の通りであり、従来ではヒンジ部に対向する反対側の合わせ面がフラットであったのに対し、合わせ面に嵌合段差部を設けることにより嵌合力が増し、従来のフラットな場合に比べて開きにくい構造としたものである。即ち、かかる段差部を設けることによって両者の接触摩擦力がアップして戻り力に対抗させようとするものである。そして、万一両者間が開いたとしても嵌合段差部によって内部の継手が直接外気に接触することはなく、従来の保温材と比べて十分な保温機能をもたらすことになる。
【００１０】
ヒンジ部と反対側における嵌合部の段差形状は特に限定はないが、一方側に凹部を、他方側に凸部を設けるものであって、その大きさ等も保温材の大きさや材質等によって任意に選択される。勿論、この段差部は保温材が合わせられる方向に対しほぼ直角方向に設けることが好ましく、場合によっては直角方向よりも更に鋭角に段差部が形成される場合もある。
【００１１】
尚、かかる段差部の開きを阻止するために、段差部を含む合わせ面に粘着剤や接着剤を付加しておくことがよく、或いは、合わせ面のラインに沿って粘着又は接着テ−プを貼着するのがより万全である。特に、前者の例にあっては、比較的作業スペ−スの狭いところで適用する保温材に好適である。
【００１２】
保温材を構成する材料としては、金型内にて容易に発泡成形できる素材が好ましく、例えば、発泡ポリエチレン、発泡ポリプロピレン、発泡ポリスチレン、発泡ポリエステル、発泡ＰＥＴ、発泡ポリウレタン、発泡ゴム等が選択される。又、場合によってはこれらを任意に複合したものであってもよい。かかる発泡体は独立気泡性のものが好ましいことは勿論である。
【実施例】
【００１３】
以下、本発明を実施例をもって更に詳細に説明する。図３は本発明の保温材の第１例を示す斜視図であり、図４は保温材として使用に供された際の側面図（ａ）及び拡大図（ｂ）である。１、２はヒンジ部３にて連結された二つ割りされたポリプロピレン製の保温材であり、内部は被保温体である継手の外形状を形作っている。これらは所定の形状を有する金型内に発泡剤が配合されたポリプロピレン樹脂を充填して加熱発泡して得られたものである。
【００１４】
さて、保温材１、２にあって、ヒンジ３とは反対側の合わせ面４、５に両者が嵌合可能な段差部６ａ、７ａを形成したものである。この例では、段差部６ａ、７ａは合わせ方向と直角にＬ字形状をなしており、使用時にはかかるＬ字状部が嵌合されて接触摩擦力をもたらし、戻り力に抗して合わせ面４、５の開きを阻止する。尚、万一合わせ面４、５が開いた場合でもＬ字状部が接触している間は内部の継手が外界に露出することはなく、保温機能は保たれることになる。
【００１５】
尚、この合わせ面４、５（含む段差部６ａ、７ａ）に粘着剤９を挟むことによってより保温効果が向上する。この粘着剤９は予め剥離紙を表面に備えたテ−プをこの面に貼っておき、使用の際に剥離紙を剥して用いるのが一般的である。そして、場合によっては単独で、或いは、この粘着剤９と併せて、合わせ面のライン１０に外側より粘着テ−プ１１を貼着することも好ましい方法である。
【００１６】
図５は保温材の第２例であって、その拡大図を示す。尚、被保温体は例えば給水管である。この例では前例の合わせ面４、５に段差部６ａ、７ａを形成するが、更にこのＬ字状部に凹部６ｂ、凸部７ｂを備えたものであり、より両者の嵌合を強固にした構造としたものである。この例も合わせ面に粘着剤９が、そして合わせライン１０に沿って粘着テ−プ１１が用いられている。
【００１７】
図６は保温材の第３例であって、（ｂ）はその一部拡大図である。尚、被保温体は例えば給水管である。この例では合わせ面４、５に鋭角の段差部６ｃ、７ｃを形成したものであり、両者を嵌め合わせることによって合わせ面４、５が開くことはなくなる。尚、この例も合わせ面に粘着剤９が、そして合わせライン１０に沿って粘着テ−プ１１が貼着されている。
【００１８】
図７は保温材の第４例の拡大図である。尚、被保温体は例えば給水管である。この例では合わせ面４、５は基本的にはフラットな面ではあるが、その一部に鋭角の段差部７ｄとこれと嵌合可能な位置に突起部６ｄを形成したものである。尚、この例も合わせ面に粘着剤９が、そして合わせライン１０に沿って粘着テ−プ１１が貼着されている。
【産業上の利用可能性】
【００１９】
本発明による保温材は被保温体として管継手を保温することに用いられることは勿論であるが、給水・給湯管等の各種管体の保温材としても用いられることは勿論である。そして、本発明の保温材の構造を採用することにより被保温体は外界とは隔離されて保温されることになり、その保温機能は低下することなく有効に機能するものであって、その工業的価値は高い。
【図面の簡単な説明】
【００２０】
【図１】図１は従来の保温材の斜視図である。
【図２】図２は図１の保温材を使用した際の側面図である。
【図３】図３は本発明の保温材の第１例を示す斜視図である。
【図４】図４は図３の保温材を使用した際の側面図である。
【図５】図５は本発明の保温材の第２例を示す側面図である。
【図６】図６は本発明の保温材の第３例を示す側面図である。
【図７】図７は本発明の保温材の第４例を示す斜視図である。
【符号の説明】
【００２１】
１、２‥保温材、
３‥ヒンジ部、
４、５‥合わせ面、
６ａ、６ｂ、６ｃ、６ｄ、７ａ、７ｂ、７ｃ、７ｄ‥段差部、
９‥粘着剤、
１０‥合わせライン、
１１‥粘着テ−プ。
【図１】
2005054986.tif 000003
【図２】
2005054986.tif 000004
【図３】
2005054986.tif 000005
【図４】
2005054986.tif 000006
【図５】
2005054986.tif 000007
【図６】
2005054986.tif 000008
【図７】
2005054986.tif 000009